(57)【要約】【課題】ガタつきを抑制できる錠受け部及び建具を提供すること。【解決手段】鎌部８１を有する鎌錠８に係合可能な錠受け部９であって、錠受け部９は、鎌部８１が挿入される鎌挿入開口部９１１を有する前面板９１と、前面板９１の背面側を覆うように前面板９１の背面側に配置されるカバー部材９２と、カバー部材９２の内部に配置され鎌挿入開口部９１１を介して挿入された鎌部８１が係合可能であると共に前面板９１の厚さ方向Ｔに移動可能な係合部材９３と、係合部材９３における前面板９１の厚さ方向Ｔの位置を調整可能な調整ネジ部材９４と、を有する。【選択図】図５
2020200629.tif 000002
【特許請求の範囲】
【請求項１】
鎌部を有する鎌錠に係合可能な錠受け部であって、
前記錠受け部は、
前記鎌部が挿入される鎌挿入開口部を有する前面板と、
前記前面板の背面側を覆うように前記前面板の背面側に配置されるカバー部材と、
前記カバー部材の内部に配置され前記鎌挿入開口部を介して挿入された前記鎌部が係合可能であると共に前記前面板の厚さ方向に移動可能な係合部材と、
前記係合部材における前記前面板の厚さ方向の位置を調整可能な調整ネジ部材と、を有する、錠受け部。
【請求項２】
前記調整ネジ部材は、軸部と、前記軸部の端部に配置される頭部と、を有し、前記係合部材を前記前面板の厚さ方向に移動させることが可能な状態で、前記軸部の軸方向の途中において前記係合部材に連結される、請求項１に記載の錠受け部。
【請求項３】
前記カバー部材は、前記前面板の背面から離間して配置される背面板を有し、
前記調整ネジ部材の前記軸部の先端側は、前記背面板において前記カバー部材に対して空転可能な状態で連結され、
前記背面板は、前記調整ネジ部材の前記軸部の先端側が連結される部分が、前記前面板側に窪んで形成される、請求項２に記載の錠受け部。
【請求項４】
前記調整ネジ部材は、前記頭部が前記前面板から外部に突出しない状態で配置される、請求項２又は３に記載の錠受け部。
【請求項５】
前記係合部材は、前記カバー部材に引っ掛けることが可能な引っ掛け部を有する、請求項１〜４のいずれかに記載の錠受け部。
【請求項６】
前記前面板は、前記調整ネジ部材を調整するための調整工具を挿入可能な調整工具用開口部を更に有し、
前記鎌挿入開口部と前記調整工具用開口部とは、前記前面板において板部分を介して隣り合って配置されている請求項１〜５のいずれかに記載の錠受け部。
【請求項７】
枠体と、
前記枠体内にスライド移動可能に配置される戸体と、
錠装置と、を備える建具であって、
前記錠装置は、請求項１〜６のいずれかに記載の錠受け部と、前記錠受け部に係合される前記鎌錠と、を有し、
前記錠装置は、前記戸体が閉位置に位置する場合に、前記枠体と前記戸体の戸先との距離を多段階の距離で保持可能な閉位置保持機構を更に備える、建具。
【請求項８】
枠体と、
前記枠体内にスライド移動可能に配置される戸体と、
錠装置と、を備える建具であって、
前記錠装置は、請求項１〜６のいずれかに記載の錠受け部と、前記錠受け部に係合される前記鎌錠と、を有し、
前記枠体は、前記錠受け部が取り付けられる取付面を有する縦枠を有し、
前記取付面は、前記カバー部材を挿入可能なカバー部材用開口部と、前記カバー部材に前記前面板を取り付けるための取付ネジを挿入可能なネジ用開口部と、を有し、
前記カバー部材用開口部と前記ネジ用開口部とは、前記取付面において板部分を介して隣り合って配置されている、建具。
【発明の詳細な説明】
【技術分野】
【０００１】
本発明は、錠受け部及び建具に関する。
【背景技術】
【０００２】
従来、フック部材（鎌錠）と、ドアの閉時にフック部材に係脱可能なストライク装置（錠受け部）と、を備える錠装置が知られている（例えば、特許文献１参照）。
【先行技術文献】
【特許文献】
【０００３】
【特許文献１】特開２００６−３２８９１７号公報
【発明の概要】
【発明が解決しようとする課題】
【０００４】
錠装置において、建具の建て付けなどの影響により、フック部材（鎌錠）とストライク装置（錠受け部）との間の隙間が変化することがあり、鎌錠と錠受け部材とが係合している場合において、ガタつきが生じることがあった。
【０００５】
本発明は、ガタつきを抑制できる錠受け部及び建具を提供することを目的とする。
【課題を解決するための手段】
【０００６】
本発明は、鎌部を有する鎌錠に係合可能な錠受け部であって、前記錠受け部は、前記鎌部が挿入される鎌挿入開口部を有する前面板と、前記前面板の背面側を覆うように前記前面板の背面側に配置されるカバー部材と、前記カバー部材の内部に配置され前記鎌挿入開口部を介して挿入された前記鎌部が係合可能であると共に前記前面板の厚さ方向に移動可能な係合部材と、前記係合部材における前記前面板の厚さ方向の位置を調整可能な調整ネジ部材と、を有する、錠受け部に関する。
【図面の簡単な説明】
【０００７】
【図１】本発明の一実施形態に係る建具を屋外側から視た斜視図である。
【図２Ａ】スライドドアの戸先側に設けられた錠装置が解錠状態である場合を示す斜視図である。
【図２Ｂ】スライドドアの戸先側に設けられた錠装置が施錠状態である場合を示す斜視図である。
【図３】枠体の縦枠に設けられた錠装置を示す斜視図である。
【図４】縦枠に設けられた錠受け部を示す斜視図である。
【図５】デッド錠受け部の縦断面図である。
【図６】デッド錠受け部の分解斜視図である。
【図７】デッド錠受け部を縦枠に取り付ける手順を示す図である。
【発明を実施するための形態】
【０００８】
以下、本発明の好ましい一実施形態について、図面を参照しながら説明する。
なお、本明細書において、「見付方向」とは、枠体２に納められたスライドドア３の面方向を意味し、「見込方向」とは、屋内外方向（即ち、奥行き方向）を意味する。
図１に示すように、本実施形態の建具１は、建物（図示せず）に固定される枠体２と、枠体２の内側に納められるスライドドア３（戸体）と、錠装置４と、を備える。
【０００９】
枠体２は、建物（図示せず）の所定箇所に取り付けられる。枠体２は、上枠２１、下枠２２及び縦枠２３が、左右方向の一方側が開放するコ字状に組まれて構成される。
上枠２１は、枠体２の上側に配置され、左右方向（横方向）に延びる。上枠２１は、前面が開放して形成される。上枠２１の前面には、上枠前面カバー２１１が配置されている。
下枠２２は、枠体２の下側に配置され、上枠２１に平行に左右方向（横方向）に延びる。
縦枠２３は、上枠２１の左右方向の他方側の端部と下枠２２の左右方向の他方側の端部とを繋いで上下方向（縦方向）に延びる。
【００１０】
スライドドア３は、枠体２の内側に配置される。本実施形態においては、スライドドア３は、枠体２内を左右方向にスライド移動可能に構成され、片引きの吊り式の玄関ドア等の開き戸である。スライドドア３の上端は、上枠２１の内部に配置される複数の吊車（図示せず）を介して、上枠２１に吊られている。スライドドア３の戸先側の高さ方向の中央において、屋内側の面には屋内側ハンドル３１（図２Ａ参照）が設けられ、屋外側の面には屋外側ハンドル３２が設けられている。
【００１１】
錠装置４は、図２Ａ〜図３に示すように、上部デッド錠装置５と、ラッチ錠装置６（閉位置保持機構）と、下部デッド錠装置７と、を備える。
上部デッド錠装置５及び下部デッド錠装置７は、建具１の施錠及びその解錠を行うための装置である。ラッチ錠装置６は、建具１の仮施錠及びその解錠を行うための装置である。
【００１２】
上部デッド錠装置５とラッチ錠装置６とは、図２Ａ及び図２Ｂに示すように、デッド鎌錠５１及びラッチ鎌錠６１が、スライドドア３の戸先側端部の見込面３３の上部側に配置され、上方にデッド鎌錠５１が位置すると共に下方にラッチ鎌錠６１が位置した状態で、同一のフロントプレート５１２に設けられている。また、上部デッド錠装置５とラッチ錠装置６とは、図３に示すように、デッド錠受け部５２及びラッチ錠受け部６２が、縦枠２３の内側の取付面２３１の上部側に配置され、上方にデッド錠受け部５２が位置すると共に下方にラッチ錠受け部６２が位置した状態で、同一のストライク板５２１に設けられている。
【００１３】
下部デッド錠装置７は、図２Ａ及び図２Ｂに示すように、デッド鎌錠８が、スライドドア３の戸先側端部の見込面３３の下部側に配置される。また、下部デッド錠装置７は、デッド錠受け部９が、図３に示すように、スライドドア３の戸先側端部の見込面３３の下部側に配置される。
【００１４】
ラッチ錠装置６は、ラッチ鎌錠６１（図２Ａ及び図２Ｂ参照）と、ラッチ錠受け部６２（図３参照）と、を有する。
ラッチ鎌錠６１は、図２Ａ及び図２Ｂに示すように、スライドドア３の戸先側の端部の見込面３３に設けられている。ラッチ鎌錠６１は、ラッチ鎌部６１１と、トリガ部６１２と、を有する。
トリガ部６１２は、スライドドア３が閉まった際に、押し込まれる。
【００１５】
ラッチ錠受け部６２は、図３に示すように、枠体２の縦枠２３の内側の取付面２３１に設けられている。ラッチ鎌部６１１は、仮施錠の際に、ラッチ錠受け部６２に係合される。
【００１６】
ラッチ錠装置６は、スライドドア３が開位置又は閉位置に位置する場合に応じて、ラッチ鎌錠６１のラッチ鎌部６１１が収容される図２Ａに示す解錠状態と、ラッチ鎌錠６１のラッチ鎌部６１１が突出する図２Ｂに示す仮施錠状態と、に動作可能である。
【００１７】
ラッチ錠装置６は、スライドドア３が閉位置に位置する場合に、枠体２の縦枠２３とスライドドア３の戸先との隙間に応じて、トリガ部６１２が押し込まれる量が変化することで、縦枠２３とスライドドア３の戸先との距離を多段階の距離で保持可能である。例えば、枠体２が歪んでいる場合などの建具１の建て付け状態により、スライドドア３と縦枠２３との隙間が変わることがあるため、本実施形態では、ラッチ錠装置６は、スライドドア３が閉まった際のトリガ部６１２の２段階の押し込み量に応じて、ラッチ鎌錠６１とラッチ錠受け部６２と係合時の水平方向の距離が２段階に調整されるように構成されている。
【００１８】
上部デッド錠装置５は、デッド鎌錠５１（鎌錠）（図２Ａ及び図２Ｂ参照）と、デッド錠受け部５２（錠受け部）（図３参照）と、を有する。上部デッド錠装置５は、デッド鎌錠５１の鎌部５１１が収容される図２Ａに示す解錠状態と、デッド鎌錠５１の鎌部５１１が突出する図２Ｂに示す施錠状態と、に動作可能である。
【００１９】
下部デッド錠装置７は、デッド鎌錠８（鎌錠）（図２Ａ及び図２Ｂ参照）と、デッド錠受け部９（錠受け部）（図３参照）と、を有する。下部デッド錠装置７は、デッド鎌錠８の鎌部８１が収容される図２Ａに示す解錠状態と、デッド鎌錠８の鎌部８１が突出する図２Ｂに示す施錠状態と、に動作可能である。
【００２０】
なお、上部デッド錠装置５及び下部デッド錠装置７の構成は、上部デッド錠装置５とラッチ錠装置６とが同一のストライク板５２１（図３参照）やフロントプレート５１２（図２Ａ及び図２Ｂ参照）に設けられているのに対して、下部デッド錠装置７においては下部デッド錠装置７のみが設けられる点が異なるが、その他の構成は共通している。以下、下部デッド錠装置７の構成についてのみ説明し、上部デッド錠装置５の構成についての説明は省略する。
【００２１】
下部デッド錠装置７について説明する。
下部デッド錠装置７は、図２Ａ〜図３に示すように、デッド鎌錠８（鎌錠）（図２Ａ及び図２Ｂ参照）と、デッド錠受け部９（錠受け部）（図３参照）と、を有する。図２Ａ及び図２Ｂに示すように、デッド鎌錠８は、スライドドア３の戸先側端部の見込面３３に設けられている。デッド鎌錠８は、鎌部８１と、鎌部８１を収容する鎌錠ケース（図示せず）と、鎌部８１を挿通可能な鎌錠フロントプレート８２と、付勢手段であるバネ（図示せず）と、を有する。
【００２２】
鎌部８１は、施錠時において先端が上方に突出する鎌形状に形成される。操作部（図示せず）が操作されることで、鎌部８１が突出してデッド錠受け部９（後述）（図３参照）に鎌部８１が係合して施錠される位置（図２Ｂ参照）と、鎌部８１が収容されてデッド錠受け部９から鎌部８１の係合が外れて解錠される位置（図２Ａ参照）とに、移動可能に構成される。
【００２３】
デッド錠受け部９は、図４〜図６に示すように、枠体２の縦枠２３の内側の取付面２３１に設けられている（取り付けられている）。デッド錠受け部９は、デッド鎌錠８の鎌部８１に係合可能である。デッド錠受け部９は、ストライク板９１（前面板）と、トロカバー９２（カバー部材）と、係合部材９３と、調整ネジ９４（調整ネジ部材）と、を有する。
【００２４】
ストライク板９１は、外形が上下方向に長い長方形の板状に形成され、デッド錠受け部９の前面に配置される。ストライク板９１は、トロカバー９２よりも上下方向の長さが長く形成される。ストライク板９１は、例えば、アルミ材料で形成される。
【００２５】
ストライク板９１は、鎌挿入開口部９１１と、調整工具用開口部９１２と、取付用ネジ孔９１３と、を有する。鎌挿入開口部９１１と調整工具用開口部９１２とは、板部分９１５を挟んで（介して）、上下に隣り合って並んで配置される。調整工具用開口部９１２が上方側に配置され、鎌挿入開口部９１１が下方側に配置される。ストライク板９１は、例えばアルミ材料で形成され、鎌挿入開口部９１１及び調整工具用開口部９１２の間にアルミ材料で形成された板部分９１５を残すことで、ストライク板９１の強度を向上させることができる。
【００２６】
鎌挿入開口部９１１は、ストライク板９１を貫通して形成され、長方形状に開口する。鎌挿入開口部９１１は、デッド鎌錠８の鎌部８１が挿入される。
【００２７】
調整工具用開口部９１２は、ストライク板９１を貫通して形成され、円形状に開口する。調整工具用開口部９１２の奥側には、調整工具用開口部９１２の貫通方向に沿って、調整ネジ９４（後述）が配置される。調整工具用開口部９１２を介して、調整ネジ９４の頭部９４２が前面側の外部に露出している。調整工具用開口部９１２は、調整ネジ９４を調整するためのドライバ（調整工具）（図示せず）を挿入可能である。
【００２８】
ストライク板９１の表面において、調整工具用開口部９１２の上方側には、調整ネジ９４の回転方向を示す表示９１６（「入」及び「出」の表示、矢印表示）が示されている。
取付用ネジ孔９１３は、ストライク板９１の上端部及び下端部それぞれに形成される。取付用ネジ孔９１３には、取付ネジ９０１が挿入される。
【００２９】
トロカバー９２は、図５及び図６に示すように、ストライク板９１の背面側を覆うように、ストライク板９１の背面側に配置される。トロカバー９２は、カバー本体９２１と、上部フランジ９２３と、下部フランジ９２４と、引っ掛け用開口９２５と、を有する。
【００３０】
カバー本体９２１は、上下方向に長い略直方体の前面側が開放された箱状部材により構成される。カバー本体９２１の背面板９２１ａには、調整ネジ９４を空転可能な状態で調整ネジ９４の先端が連結される空転孔９２１ｂが形成される。背面板９２１ａは、ストライク板９１に平行に、ストライク板９１の背面から離間して配置される。
【００３１】
背面板９２１ａにおいて、調整ネジ９４の軸部９４１の先端９４１ａ（後述）側が連結される空転孔９２１ｂの部分には、背面板９２１ａからカバー本体９２１の内部側（ストライク板９１側）に窪む窪み絞り部９２１ｃが形成される。調整ネジ９４の先端９４１ａが連結された空転孔９２１ｂの部分には、窪み絞り部９２１ｃが形成されているため、調整ネジ９４は、背面板９２１ａ側から調整ネジ９４の先端９４１ａが突出しない状態で空転孔９２１ｂに連結される。
【００３２】
上部フランジ９２３は、カバー本体９２１の上部に配置され、カバー本体９２１の手前側の上端部から上方に延びる板状に形成される。上部フランジ９２３には、取付用ネジ孔９２３ａが形成される。取付用ネジ孔９２３ａには、取付ネジ９０１が挿入される。上部フランジ９２３の下端には、係合部材９３の上部引っ掛け片９３２（後述）を引っ掛けるための引っ掛け用開口９２５が形成されている。
【００３３】
下部フランジ９２４は、カバー本体９２１の下部に配置され、カバー本体９２１の手前側の下端部から下方に板状に延びて形成される。下部フランジ９２４は、上部フランジ９２３よりも上下方向の長さが長く形成される。下部フランジ９２４には、取付用ネジ孔９２４ａが形成される。取付用ネジ孔９２４ａには、取付ネジ９０１が挿入される。
【００３４】
係合部材９３は、図５及び図６に示すように、トロカバー９２の内部に配置される。係合部材９３は、ストライク板９１の鎌挿入開口部９１１を介して挿入された鎌部８１が係合可能であると共に、後述する調整ネジ９４の軸部９４１が軸方向に移動することで、ストライク板９１の厚さ方向Ｔに移動可能である。係合部材９３には、デッド鎌錠８の鎌部８１が係合される。係合部材９３は、係合部本体９３１と、上部引っ掛け片９３２（引っ掛け部）と、下部係止片９３３と、を有する。
【００３５】
係合部本体９３１は、カバー本体９２１の内部におけるストライク板９１の調整工具用開口部９１２が連通した位置に配置され、ストライク板９１に平行な板状に形成される。係合部本体９３１には、鎌部８１が係合可能である。係合部本体９３１には、調整ネジ９４が係合する調整ネジ係合孔９３４が形成される。
【００３６】
上部引っ掛け片９３２は、係合部本体９３１の上端部から、トロカバー９２の背面板９２１ａ側に突出する。上部引っ掛け片９３２は、トロカバー９２の引っ掛け用開口９２５に引っ掛けることが可能である。これにより、係合部材９３は、落下することが抑制される。例えば、ストライク板９１が破壊されても、上部引っ掛け片９３２がトロカバー９２の引っ掛け用開口９２５に引っ掛かっているため、係合部材９３は落下しない。
【００３７】
下部係止片９３３は、係合部本体９３１の下端部から、ストライク板９１側に突出する。下部係止片９３３は、ストライク板９１の鎌挿入開口部９１１の上方側の縁部に係止される。これにより、下部係止片９３３は、ストライク板９１が落下しないように係止する。
【００３８】
調整ネジ９４は、係合部材９３におけるストライク板９１の厚さ方向Ｔの位置を調整可能である。調整ネジ９４は、図５及び図６に示すように、軸部９４１と、軸部９４１の後端に配置される頭部９４２と、を有する。調整ネジ９４は、軸部９４１の先端９４１ａ側においてトロカバー９２に対して空転可能な状態で連結されると共に、軸部９４１の軸方向の途中において係合部材９３をストライク板９１の厚さ方向Ｔに移動可能な状態で係合部材９３に連結される。本実施形態においては、ストライク板９１の厚さ方向Ｔは、係合部本体９３１の厚さ方向と一致し、また、調整ネジ９４の軸部９４１（後述）の軸方向と一致する。
【００３９】
軸部９４１の先端９４１ａは、カバー本体９２１の空転孔９２１ｂに連結され、調整ネジ９４は、カバー本体９２１の背面板９２１ａにおいてトロカバー９２に対して空転可能な状態で連結される。軸部９４１の軸方向の途中には、係合部材９３の調整ネジ係合孔９３４が係合した状態で連結される。
【００４０】
頭部９４２は、調整工具用開口部９１２に介して前面側の外部に露出する。調整ネジ９４は、頭部９４２がストライク板９１から手前側の外部に突出しない状態で、トロカバー９２に対して空転するように配置される。これにより、頭部９４２がストライク板９１から外部に突出しないため、調整ネジ９４が、スライドドア３の開閉時に邪魔になったり、人の邪魔になったりしない。また、調整ネジ９４の頭部９４２がストライク板９１から突出していないため、意匠性を確保できる。
【００４１】
調整ネジ９４をドライバ（図示せず）で回転させることで、係合部材９３の調整ネジ係合孔９３４の位置が、軸部９４１の軸方向に移動され、係合部材９３のストライク板９１の厚さ方向Ｔの位置が調整される。これにより、係合部材９３の係合位置を調整できる。よって、係合部材９３と鎌部８１とのクリアランスＣ（図５参照）を小さくすることができる。
【００４２】
ここで、従来から、例えば、枠体２が歪んでいる場合などの建具１の建て付け状態により、スライドドア３の戸先と縦枠２３との隙間（いわゆる「チリ」と呼ばれる隙間）の大きさが変わることがある。そのため、本実施形態のように、図２Ａ〜図３に示すラッチ錠装置６においては、スライドドア３が閉まった際に、例えば、トリガ部６１２の２段階の押し込み量に応じて、ラッチ鎌錠６１とラッチ錠受け部６２と係合時の水平方向の距離が２段階に調整されるように構成されている。これにより、ラッチ錠装置６は、スライドドア３が閉位置に位置する場合に、枠体２とスライドドア３の戸先との隙間に応じて、枠体２とスライドドア３の戸先との距離を多段階の距離で保持可能に構成される。
【００４３】
このようなラッチ錠装置６を備える場合に、従来、鎌錠デッド装置として、係合部材９３と鎌部８１と係合距離を調整できない構成を採用した場合に、ラッチ錠装置６において仮施錠した状態で、鎌錠デッド装置で本施錠しても、係合部材９３と鎌部８１とのクリアランスが調整されていないため、鎌錠デッド装置で施錠した状態において、ガタツキが生じることがあった。
【００４４】
これに対して、本発明は、図５に示すように、調整ネジ９４を回転させることで、係合部材９３をストライク板９１の厚さ方向Ｔに移動させて、係合部材９３におけるストライク板９１の厚さ方向Ｔの位置を調整できる。これにより、スライドドア３が閉位置に位置する場合に枠体２とスライドドア３の戸先との隙間に応じて枠体２とスライドドア３の戸先との距離を多段階の距離で保持可能なラッチ錠装置６を備える場合において、下部デッド錠装置７は、係合部材９３と鎌部８１とのクリアランスＣを調整可能であるため、鎌部８１のガタツキを抑制できる。
【００４５】
次に、デッド錠受け部９を縦枠２３に取り付ける手順について説明する。
デッド錠受け部９を縦枠２３に取り付ける場合には、図７に示すように、トロカバー９２、係合部材９３及び調整ネジ９４を一体として、いわゆるケンドン式にて、縦枠２３のトロカバー用開口部２３２（カバー部材用開口部）に嵌め込む。
【００４６】
ここで、縦枠２３の取付面２３１には、図６に示すように、トロカバー用開口部２３２（カバー部材用開口部）と、ネジ用開口部２３３と、が上下に隣り合って並んで配置される。トロカバー用開口部２３２は、トロカバー９２を挿入可能な開口である。ネジ用開口部２３３は、トロカバー９２にストライク板９１を取り付けるための取付ネジ９０１を挿入可能な開口である。
ネジ用開口部２３３は、トロカバー用開口部２３２の上方側に配置される。トロカバー用開口部２３２とネジ用開口部２３３とは、縦枠２３の取付面２３１において板部分２３４を介して隣り合って配置されている。
【００４７】
縦枠２３は、例えばアルミ材料で形成されており、縦枠２３の取付面２３１において、トロカバー用開口部２３２及びネジ用開口部２３３の間にアルミ材料で形成された板部分２３４を残すことで、縦枠２３の取付面２３１の強度を向上させることができる。これにより、錠装置４が施錠されている状態において、スライドドア３を強く引っ張って開けようとしても、縦枠２３の取付面２３１の板部分２３４により、デッド鎌錠８の鎌部８１やデッド錠受け部９のストライク板９１が破壊されないように耐えることができる。
【００４８】
ストライク板９１は、鎌挿入開口部９１１と、調整工具用開口部９１２と、取付用ネジ孔９１３と、を有する。鎌挿入開口部９１１と調整工具用開口部９１２とは、板部分９１５を挟んで（介して）、上下に隣り合って並んで配置される。調整工具用開口部９１２が上方側に配置され、鎌挿入開口部９１１が下方側に配置される。ストライク板９１は、例えばアルミ材料で形成され、鎌挿入開口部９１１及び調整工具用開口部９１２の間にアルミ材料で形成された板部分９１５を残すことで、ストライク板９１の強度を向上させることができる。これにより、錠装置４が施錠されている状態において、スライドドア３を強く引っ張って開けようとしても、板部分９１５により、錠装置４が破壊されないように耐えることができる。
【００４９】
ケンドン式でデッド錠受け部９を縦枠２３のトロカバー用開口部２３２に嵌め込む場合には、図７に示すように、一体としたトロカバー９２、係合部材９３及び調整ネジ９４を、トロカバー９２の上部を縦枠２３側に傾けて、上部側を縦枠２３のトロカバー用開口部２３２に挿入する。その後、一体としたトロカバー９２、係合部材９３及び調整ネジ９４を徐々に立てながら、縦枠２３のトロカバー用開口部２３２に挿入していく。上部側を上方に更に挿入した後に、下部側を下方に下すことで、一体としたトロカバー９２、係合部材９３及び調整ネジ９４を、縦枠２３のトロカバー用開口部２３２に嵌め込む。その後、ストライク板９１を手前側に配置して、ストライク板９１とトロカバー９２との間に縦枠２３の取付面２３１を挟んだ状態で、取付ネジ９０１により、ストライク板９１を、トロカバー９２の前面に取り付ける。
【００５０】
ここで、本実施形態では、トロカバー９２の背面板９２１ａにおいて、空転孔９２１ｂの部分には、背面板９２１ａから内部側に窪む窪み絞り部９２１ｃが設けられている。そのため、調整ネジ９４の先端９４１ａは、トロカバー９２の背面板９２１ａの背面から突出しない。これにより、いわゆるケンドン式で、デッド錠受け部９を縦枠２３のトロカバー用開口部２３２に取り付ける場合において、取り付ける際に調整ネジ９４の先端９４１ａが縦枠２３に当たることがないため、取付作業を妨げることが抑制される。
【００５１】
以上説明してきたように、本実施形態によれば、以下の効果が奏される。
本実施形態のデッド錠受け部９は、鎌部８１を有するデッド鎌錠８に係合可能であって、デッド錠受け部９は、鎌部８１が挿入される鎌挿入開口部９１１を有するストライク板９１と、ストライク板９１の背面側を覆うようにストライク板９１の背面側に配置されるトロカバー９２と、トロカバー９２の内部に配置され鎌挿入開口部９１１を介して挿入された鎌部８１が係合可能であると共にストライク板９１の厚さ方向Ｔに移動可能な係合部材９３と、係合部材９３におけるストライク板９１の厚さ方向Ｔの位置を調整可能な調整ネジ９４と、を有する。これにより、係合部材９３をストライク板９１の厚さ方向Ｔに移動させることができ、係合部材９３と鎌部８１とのクリアランスＣを調整することで、鎌部８１のガタツキを抑制できる。
【００５２】
また、本実施形態においては、調整ネジ９４は、軸部９４１と、軸部９４１の後端に配置される頭部９４２と、を有し、係合部材９３をストライク板９１の厚さ方向Ｔに移動させることが可能な状態で、軸部９４１の軸方向の途中において係合部材９３に連結される。これにより、調整ネジ９４を回転させるだけで、係合部材９３をストライク板９１の厚さ方向Ｔに移動させることができるため、簡易な構成で、鎌部８１のガタツキを抑制できる。
【００５３】
また、本実施形態においては、トロカバー９２は、ストライク板９１の背面から離間して配置される背面板９２１ａを有し、調整ネジ９４の軸部９４１の先端９４１ａ側は、背面板９２１ａにおいてトロカバー９２に対して空転可能な状態で連結され、背面板９２１ａは、調整ネジ９４の軸部９４１の先端９４１ａ側が連結される部分が、ストライク板９１側に窪んで形成される。そのため、調整ネジ９４の先端９４１ａは、トロカバー９２の背面板９２１ａの背面から突出しない構成である。これにより、いわゆるケンドン式で、デッド錠受け部９を縦枠２３のトロカバー用開口部２３２に取り付ける場合において、取り付ける際に調整ネジ９４の先端９４１ａが縦枠２３に当たることがないため、取付作業を妨げることを抑制できる。
【００５４】
また、本実施形態においては、調整ネジ９４は、頭部９４２がストライク板９１から外部に突出しない状態で配置される。そのため、頭部９４２がストライク板９１から外部に突出しないため、調整ネジ９４が、スライドドア３の開閉時に邪魔になったり、人の邪魔になったりすることを抑制できる。また、調整ネジ９４の頭部９４２がストライク板９１から突出していないため、意匠性を確保できる。
【００５５】
また、本実施形態においては、係合部材９３は、トロカバー９２に引っ掛けることが可能な上部引っ掛け片９３２を有する。これにより、係合部材９３は、落下することを抑制できる。例えば、ストライク板９１が破壊されても、係合部材９３が落下することを抑制できる。
【００５６】
また、本実施形態においては、ストライク板９１は、調整ネジ９４を調整するための調整工具を挿入可能な調整工具用開口部９１２を更に有し、鎌挿入開口部９１１と調整工具用開口部９１２とは、ストライク板９１において板部分９１５を介して隣り合って配置されている。これにより、鎌挿入開口部９１１及び調整工具用開口部９１２の間に板部分９１５を残すことで、ストライク板９１の強度を向上させることができる。よって、錠装置４が施錠されている状態において、スライドドア３を強く引っ張って開けようとしても、板部分９１５により、錠装置４が破壊されないように耐えることができる。
【００５７】
また、本実施形態の建具１は、枠体２と、枠体２内にスライド移動可能に配置されるスライドドア３と、錠装置４と、を備え、錠装置４は、錠受け部と、デッド錠受け部９に係合されるデッド鎌錠８と、を有し、錠装置４は、スライドドア３が閉位置に位置する場合に、枠体２とスライドドア３の戸先との距離を多段階の距離で保持可能なラッチ錠装置６を更に備える。これにより、スライドドア３が閉位置に位置する場合に枠体２とスライドドア３の戸先との距離を多段階の距離で保持可能なラッチ錠装置６を備える場合において、下部デッド錠装置７は、係合部材９３と鎌部８１とのクリアランスＣを調整することで、鎌部８１のガタツキを抑制できる。
【００５８】
また、本実施形態においては、トロカバー用開口部２３２とネジ用開口部２３３とは、取付面２３１において板部分２３４を介して隣り合って配置されている。これにより、縦枠２３の取付面２３１において、トロカバー用開口部２３２及びネジ用開口部２３３の間に板部分２３４を残すことで、縦枠２３の取付面２３１の強度を向上させることができる。よって、錠装置４が施錠されている状態において、スライドドア３を強く引っ張って開けようとしても、板部分２３４により、デッド鎌錠８の鎌部８１やデッド錠受け部９のストライク板９１が破壊されないように耐えることができる。
【００５９】
以上、本発明の好ましい実施形態について説明したが、本発明は、上述の実施形態に制限されるものではなく、適宜変更が可能である。
【符号の説明】
【００６０】
３  スライドドア（戸体）
２  枠体
４  錠装置
６  ラッチ錠装置（閉位置保持機構）
８  デッド鎌錠（鎌錠）
９  デッド錠受け部（錠受け部）
２３  縦枠
８１  鎌部
９１  ストライク板（前面板）
９２  トロカバー（カバー部材）
９３  係合部材
９４  調整ネジ（調整ネジ部材）
２３１  取付面
２３２  トロカバー用開口部（カバー部材用開口部）
２３３  ネジ用開口部
２３４  板部分
９０１  取付ネジ
９１１  鎌挿入開口部
９１２  調整工具用開口部
９１５  板部分
９３２  上部引っ掛け片（引っ掛け部）
９４１  軸部
９４２  頭部
Ｔ  厚さ方向
【図１】
2020200629.tif 000003
【図２Ａ】
2020200629.tif 000004
【図２Ｂ】
2020200629.tif 000005
【図３】
2020200629.tif 000006
【図４】
2020200629.tif 000007
【図５】
2020200629.tif 000008
【図６】
2020200629.tif 000009
【図７】
2020200629.tif 000010